(57)【要約】【課題】柔軟な色変換を可能とする画像処理装置、及び画像処理方法を提供する。【解決手段】ユーザにより設定された入力画像データが示す画像の種別を取得し、入力画像データの変換に用いられると共に、種別毎に対応して予め定められた変換情報、及び変換情報毎に対応して設けられた入力画像データの画質形式を１つ以上の項目により示される設定画質形式情報を記憶し、取得した種別に対応する変換情報である主変換情報を取得し、主変換情報に対応する設定画質形式情報を取得し、取得した設定画質形式情報をユーザに提示して設定画質形式情報をユーザに調整させ、調整された調整画質形式情報に基づき、主変換情報とは異なる変換情報である副変換情報を取得し、主変換情報と副変換情報に基づき、入力画像データを変換する変換情報を定め、定められた変換情報を用いて、入力画像データを出力画像データに変換する。【選択図】図２
2007324967.tif 000002
【特許請求の範囲】
【請求項１】
ユーザにより設定された入力画像データが示す画像の種別を取得する画像種別取得手段と、
前記入力画像データの変換に用いられると共に、前記種別毎に対応して予め定められた変換情報、及び前記変換情報毎に対応して設けられた前記入力画像データの画質形式を１つ以上の項目により示す設定画質形式情報を記憶する記憶手段と、
前記画像種別取得手段が取得した種別に対応する前記変換情報である主変換情報を前記記憶手段から取得する主変換情報取得手段と、
前記主変換情報に対応する前記設定画質形式情報を前記記憶手段から取得し、取得した前記設定画質形式情報を前記ユーザに提示して前記設定画質形式情報を前記ユーザに調整させる画質形式情報調整手段と、
前記画質形式情報調整手段で調整された調整画質形式情報に基づき、前記主変換情報とは異なる変換情報である副変換情報を取得する副変換情報取得手段と、
前記主変換情報と前記副変換情報とに基づき、前記入力画像データを変換する変換情報を定める変換情報決定手段と、
前記変換情報決定手段で定められた変換情報を用いて、前記入力画像データを出力画像データに変換する変換手段と、
を有する画像処理装置。
【請求項２】
前記変換情報決定手段は、
前記主変換情報と前記副変換情報とを合成して得られる変換情報を、前記入力画像データを変換する変換情報と定める請求項１に記載の画像処理装置。
【請求項３】
前記変換情報決定手段は、
予め定められた複数の彩度領域毎に前記変換情報を定める請求項１または請求項２に記載の画像処理装置。
【請求項４】
前記変換情報決定手段は、
前記主変換情報に対応する設定画質形式情報及び前記副変換情報に対応する設定画質形式情報を用いて得られる設定画質形式情報と、前記調整画質形式情報との類似の度合いを示す類似度を算出し、当該類似度に基づき、前記入力画像データを変換する変換情報を定める請求項１から請求項３のいずれか１項に記載の画像処理装置。
【請求項５】
前記設定画質形式情報は、色再現情報、グレー再現情報、及び階調再現情報のうちの１つ以上の情報を含む請求項１から請求項４のいずれか１項に記載の画像処理装置。
【請求項６】
ユーザにより設定された入力画像データが示す画像の種別を取得する画像種別取得段階と、
前記入力画像データの変換に用いられると共に、前記種別毎に対応して予め定められた変換情報から、前記画像種別取得段階で取得した種別に対応する前記変換情報である主変換情報を取得する主変換情報取得段階と、
前記変換情報毎に対応して設けられた前記入力画像データの画質形式を１つ以上の項目により示す設定画質形式情報から、前記主変換情報に対応する前記設定画質形式情報を取得し、取得した前記設定画質形式情報を前記ユーザに提示して前記設定画質形式情報を前記ユーザに調整させる画質形式情報調整段階と、
前記画質形式情報調整段階で調整された調整画質形式情報に基づき、前記主変換情報とは異なる変換情報である副変換情報を取得する副変換情報取得段階と、
前記主変換情報と前記副変換情報とに基づき、前記入力画像データを変換する変換情報を定める変換情報決定段階と、
前記変換情報決定段階で定められた変換情報を用いて、前記入力画像データを出力画像データに変換する変換段階と、
を有する画像処理方法。
【発明の詳細な説明】
【技術分野】
【０００１】
本発明は、画像処理装置、及び画像処理方法に関し、特にＧａｍｕｔマッピング、及び色調整を行う画像処理装置、及び画像処理方法に関する。
【背景技術】
【０００２】
近年、Ｇａｍｕｔマッピングに対する関心が高まっている。Ｇａｍｕｔマッピングとはある色域で表現されている色を、異なる色域で表現するための色に変換する処理を示し、例えば、モニタ上で表示されるＲＧＢで表現された色を、印刷で用いられるＣＭＹＫで表現するための色に変換する処理などがある。
【０００３】
この場合、ＲＧＢからまずＬａｂに変換され、ＬａｂからＣＭＹＫに変換するようになっており、この種の技術が、特許文献１、２に開示されている。特許文献１は、図９に示されるように、ＲＧＢ→Ｌａｂ→Ｌ'ａ'ｂ'→ＣＭＹＫ（各矢印は変換を示す）と変換するものである。なお、この図９において、ＤＬＵＴは変換に用いられるルックアップテーブルを示している。
【０００４】
特許文献１に開示されている技術は、各変換で用いられる変換テーブルをユーザにより選択可能とするもので、例えば図９に示されているＤＬＵＴ１、２、３から選択可能とするものである。また特許文献２に開示されている技術は、色再現方針を指定するユーザインタフェースを有し、指定内容に従って変換する技術である。さらに、例えばＤＬＵＴ１とＤＬＵＴ２を結合することで新たなＤＬＵＴを作成する技術も開示されている。
【特許文献１】特開平７−２７４０２５号公報
【特許文献２】特開２００３−３２４６００号公報
【発明の開示】
【発明が解決しようとする課題】
【０００５】
しかしながら、特許文献に開示されている技術は、例えばＤＬＵＴ１、２、３のうちから一つしか選択できないため、柔軟な色変換が困難である。また、特許文献２に開示されている技術も、単純に結合するものなので、柔軟な色変換が困難である。
【０００６】
本発明は上記問題点に鑑み、柔軟な色変換を可能とする画像処理装置、及び画像処理方法を提供することを目的とする。
【課題を解決するための手段】
【０００７】
上記目的を達成するために本発明は、ユーザにより設定された入力画像データが示す画像の種別を取得する画像種別取得手段と、前記入力画像データの変換に用いられると共に、前記種別毎に対応して予め定められた変換情報、及び前記変換情報毎に対応して設けられた前記入力画像データの画質形式を１つ以上の項目により示される設定画質形式情報を記憶する記憶手段と、前記画像種別取得手段が取得した種別に対応する前記変換情報である主変換情報を前記記憶手段から取得する主変換情報取得手段と、前記主変換情報に対応する前記設定画質形式情報を前記記憶手段から取得し、取得した前記設定画質形式情報を前記ユーザに提示して前記設定画質形式情報を前記ユーザに調整させる画質形式情報調整手段と、前記画質形式情報調整手段で調整された調整画質形式情報に基づき、前記主変換情報とは異なる変換情報である副変換情報を取得する副変換情報取得手段と、前記主変換情報と前記副変換情報とに基づき、前記入力画像データを変換する変換情報を定める変換情報決定手段と、前記変換情報決定手段で定められた変換情報を用いて、前記入力画像データを出力画像データに変換する変換手段と、を有する。
【０００８】
ここで、請求項１に記載の発明では、ユーザにより設定された入力画像データが示す画像の種別を取得し、前記入力画像データの変換に用いられると共に、前記種別毎に対応して予め定められた変換情報、及び前記変換情報毎に対応して設けられた前記入力画像データの画質形式を１つ以上の項目により示される設定画質形式情報を記憶し、取得した種別に対応する前記変換情報である主変換情報を取得し、前記主変換情報に対応する前記設定画質形式情報を取得し、取得した前記設定画質形式情報を前記ユーザに提示して前記設定画質形式情報を前記ユーザに調整させ、調整された前記設定画質形式情報である調整画質形式情報に基づき、前記主変換情報とは異なる変換情報である副変換情報を取得し、前記主変換情報と前記副変換情報に基づき、前記入力画像データを変換する変換情報を定め、定められた変換情報を用いて、前記入力画像データを前記出力画像データに変換するので、柔軟な色変換を可能とする画像処理装置を提供することができる。
【０００９】
また、請求項２に記載の発明は、前記変換情報決定手段は、前記主変換情報と前記副変換情報とを合成して得られる変換情報を、前記入力画像データを変換する変換情報と定める。
【００１０】
ここで、請求項２に記載の発明では、入力画像データを変換する変換情報を主変換情報と副変換情報とを合成して得られる変換情報とすることができる。
【００１１】
また、請求項３に記載の発明は、前記変換情報決定手段は、予め定められた複数の彩度領域毎に前記変換情報を定める。
【００１２】
ここで、請求項３に記載の発明では、彩度領域毎に前記変換情報を定めるので、全体を単一的に変換する場合と異なり、より柔軟な色変換を可能とする画像処理装置を提供することができる。
【００１３】
また、請求項４に記載の発明は、前記変換情報決定手段は、前記主変換情報に対応する設定画質形式情報及び前記副変換情報に対応する設定画質形式情報を用いて得られる設定画質形式情報と、前記調整画質形式情報との類似の度合いを示す類似度を算出し、当該類似度に基づき、前記入力画像データを変換する変換情報を定める。
【００１４】
ここで、請求項４に記載の発明では、前記類似度を用いることにより、ユーザが調整した調整画質形式情報が示す調整画質形式に適合する変換情報を定めることができる。
【００１５】
また、請求項５に記載の発明は、前記設定画質形式情報は、色再現情報、グレー再現情報、及び階調再現情報のうちの１つ以上の情報を含む。
【００１６】
ここで、請求項５に記載の発明では、設定画質形式情報として色再現情報、グレー再現情報、及び階調再現情報のうちの１つ以上の情報とすることができる。
【００１７】
また、請求項６に記載の発明では、ユーザにより設定された入力画像データが示す画像の種別を取得する画像種別取得段階と、前記入力画像データの変換に用いられると共に、前記種別毎に対応して予め定められた変換情報から、前記画像種別取得段階で取得した種別に対応する前記変換情報である主変換情報を取得する主変換情報取得段階と、前記変換情報毎に対応して設けられた前記入力画像データの画質形式を１つ以上の項目により示す設定画質形式情報から、前記主変換情報に対応する前記設定画質形式情報を取得し、取得した前記設定画質形式情報を前記ユーザに提示して前記設定画質形式情報を前記ユーザに調整させる画質形式情報調整段階と、前記画質形式情報調整段階で調整された調整画質形式情報に基づき、前記主変換情報とは異なる変換情報である副変換情報を取得する副変換情報取得段階と、前記主変換情報と前記副変換情報とに基づき、前記入力画像データを変換する変換情報を定める変換情報決定段階と、前記変換情報決定段階で定められた変換情報を用いて、前記入力画像データを出力画像データに変換する変換段階と、を有する
ここで、請求項６に記載の発明も、請求項１に記載の発明と同様の効果を得ることができる。
【発明の効果】
【００１８】
本発明によれば、柔軟な色変換を可能とする画像処理装置、及び画像処理方法を提供することができるという効果が得られる。
【発明を実施するための最良の形態】
【００１９】
以下、図面を参照して、本発明の実施の形態について詳細に説明する。
【００２０】
図１は、本実施の形態に係る全体構成を示す図である。図１には、画像処理装置を有するプリンタ１０と、ＰＣ１０ａ、１０ｂと、それらを接続するネットワーク１４とが示されている。プリンタ１０は、ＰＣ１０ａ、１０ｂから送信された画像データに基づき印刷を実行する。ネットワーク１４は、例えばＬＡＮである。
【００２１】
パソコン１０ａ、１０ｂのモニタで表示される色は、ＲＧＢで表現される。一方、プリンタ１０は、ＣＭＹＫにより印刷を実行するので、ＲＧＢからＣＭＹＫへの変換が必要となる。さらに、モニタとプリンタ１０とでは表現できる色領域が異なるため、そのためのＧａｍｕｔマッピング処理も必要である。
【００２２】
従って、プリンタ１０で印刷するためには、ＲＧＢからＣＭＹＫへの変換と、Ｇａｍｕｔマッピング処理を実行する必要がある。この２つの変換を実行するプリンタ１０の機能ブロック図を、図２に示す。
【００２３】
図２には、入力色空間変換部１６と、ＤＬＵＴ変換部１８と、出力色空間変換部２０と、ＤＬＵＴ２４ａ、２４ｂ、２４ｃとが示されている。
【００２４】
ＤＬＵＴ２２に示される各ＤＬＵＴは、入力画像データの変換に用いられると共に、種別毎に対応して予め定められたＤＬＵＴである。また、各ＤＬＵＴは、ルックアップテーブルであり、変換情報に対応している。また、本実施の形態の場合、上記種別は写真、ビジネス文書、及びグラフの３つとなっている。図２の場合、ＤＬＵＴ２４ａは、写真に対応し、ＤＬＵＴ２４ｂは、ビジネス文書に対応し、ＤＬＵＴ２４ｃは、グラフに対応する。また、各ＤＬＵＴは、Ｌａｂの３つの要素からＬ'ａ'ｂ'の３つの要素に変換するルックアップテーブルのため、Ｌａｂの要素（Ａ，Ｂ，Ｃ）からＬ'ａ'ｂ'の要素（Ａ'，Ｂ'，Ｃ'）に変換するものである。
【００２５】
次に入力色空間変換部１６について説明する。入力色空間変換部１６は、ＲＧＢで入力された入力画像データをＬａｂに変換する。この変換は例えばルックアップテーブルを用いて実行される。ＤＬＵＴ変換部１８は、Ｌａｂで入力された入力画像データを変換し、Ｌ'ａ'ｂ'の出力画像データを出力する。このＤＬＵＴ変換部１８の処理の詳細については後述する。出力色空間変換部２０は、ＤＬＵＴ変換部１８から出力された出力画像データをＣＭＹＫに変換する。ＣＭＹＫに変換された画像データによりプリンタ１０は印刷を実行する。
【００２６】
以上説明した構成に示されるように、本実施の形態において、画像処理装置はＤＬＵＴ変換部１８とＤＬＵＴ２２とで構成される。従って、入力画像データはＬａｂにより表現されるデータであり、出力画像データもＬａｂにより表現されるデータである。
【００２７】
次に、図３を用いて、ＤＬＵＴごとに設けられると共に、入力画像データをＤＬＵＴにより変換した場合に出力される出力画像データの画質形式を１つ以上の項目により示す設定画質形式情報について説明する。この設定画質形式情報は、上記ＤＬＵＴとともに、ハードディスクなどの記憶手段に記憶されている。
【００２８】
図３に示される色再現、グレー再現、及び階調再現の各項目は、画質形式を示している。色再現とは、「モニタに忠実」と「鮮やか」の間を段階的に示す画質形式である。図３の場合、値が小さいほどモニタに忠実であり、大きいほど鮮やかとなる。
【００２９】
グレー再現とは、「グレー再現ＰＫ」と「単Ｋ」の間を段階的に示す画質形式である。図３の場合、値が小さいほどグレー再現ＰＫであり、大きいほど単Ｋとなる。
【００３０】
階調再現とは、「階調重視」と「視認性重視」の間を段階的に示す画質形式である。図３の場合、値が小さいほど階調重視であり、大きいほど視認性重視となる。
【００３１】
また、図３には、写真ＤＬＵＴ（ＤＬＵＴ２４ａ）、ビジネス文書ＤＬＵＴ（ＤＬＵＴ２４ｂ）、グラフＤＬＵＴ（ＤＬＵＴ２４ｃ）の設定画質形式情報も示されている。
【００３２】
具体的に例えば写真ＤＬＵＴの場合の設定画質形式情報は、色再現が０であり、グレー再現が０であり、階調再現が２である。
【００３３】
以上のように、ＤＬＵＴ毎に、設定画質形式情報が対応して設けられている。この設定画質情報は、ユーザにより種別が設定されるとユーザに表示され、表示された設定画質形式情報はユーザが調整することができる。このときのユーザインタフェースを、図４を用いて説明する。
【００３４】
図４には、種別３０と、画質形式３４と、画質形式調整バー３２とが表示された画面が示されている。この画面は、例えばＰＣ（図１参照）のモニタに表示されるものであるが、プリンタに表示するようにしても良い。
【００３５】
種別３０は、ボタンで設定されるようになっており、ユーザは、このボタンを押下することで、種別を設定する。図４の場合、ビジネス文書が設定された様子を示している。ユーザにより種別が設定されると、設定されたＤＬＵＴに対応する設定画質形式情報が、画質形式３４の各項目が有する画質形式調整バー３２により、０から５の６段階（図３参照）で表示される。
【００３６】
ユーザは、この画質形式調整バー３２を上下することにより、設定画質形式情報を調整し、調整された値は、調整画質形式情報となる。
【００３７】
次に、主ＤＬＵＴと副ＤＬＵＴに基づき、入力画像データを変換するＤＬＵＴの定め方について説明する。ＤＬＵＴ変換部１８は、上述したように、まず種別に対応する主ＤＬＵＴを取得する。次にユーザが調整した調整画質形式情報に基づき、主ＤＬＵＴとは異なるＤＬＵＴである副ＤＬＵＴを取得する。
【００３８】
この副ＤＬＵＴの取得について説明する。副ＤＬＵＴは、調整画質形式情報に近づけるために、主ＤＬＵＴが必要とするＤＬＵＴである。例えば主ＤＬＵＴが写真ＤＬＵＴで、ユーザが色再現を３、グレー再現を２、階調再現を２と調整したとする。その場合、写真ＤＬＵＴの色再現及びグレー再現は、共に０であるため、ユーザが調整した色再現３、グレー再現２に近づけるため、ビジネス文書ＤＬＵＴを副ＤＬＵＴとして取得する。
【００３９】
このとき、グラフＤＬＵＴではなくビジネス文書ＤＬＵＴを副ＤＬＵＴと判断する処理について説明する。また、以下の説明において、色再現をＸ、グレー再現をＹ、階調再現をＺとした場合、それをベクトルの表記形式である（Ｘ，Ｙ，Ｚ）と表現することとする。この表現をした場合、上記調整画質形式情報は、（３，２，２）である。
【００４０】
主ＤＬＵＴである写真ＤＬＵＴの設定画質形式情報とビジネス文書ＤＬＵＴの設定画質形式情報とを単純に加算した場合、（０，０，２）＋（２，２，０）＝（２，２，２）となる。一方、主ＤＬＵＴである写真ＤＬＵＴの設定画質形式情報とグラフＤＬＵＴの設定画質形式情報とを単純に加算した場合、（０，０，２）＋（５，５，５）＝（５，５，７）となる。
【００４１】
次に、（３，２，２）と（２，２，２）の距離、及び（３，２，２）と（５，５，７）の距離を求め、小さい距離となる方に対応するＤＬＵＴを副ＤＬＵＴとして取得する。従って、（２，２，０）に対応するビジネス文書ＤＬＵＴが副ＤＬＵＴとして取得される。
【００４２】
以上説明した副ＤＬＵＴの取得方法によれば、処理が軽く画像処理装置の負荷を軽減することができる。一方、処理は重くなるが、よりユーザが調整した値に近づける場合の取得方法を以下に説明する。
【００４３】
まず、写真ＤＬＵＴの設定画質形式情報（０，０，２）をａとし、ビジネス文書ＤＬＵＴの設定画質形式情報（２，２，０）をｂとし、グラフＤＬＵＴの設定画質形式情報（５，５，５）をｃとする。
【００４４】
この場合、ベクトルａ、ｂ、ｃが線形独立であれば、
（３，２，２）＝αａ＋βｂ＋γｃ
となる実数α、β、γが存在する。従って、写真ＤＬＵＴによる変換をｆとし、グラフＤＬＵＴによる変換をｇ、ビジネス文書ＤＬＵＴによる変換をｈとしたとき、αｆ＋βｇ＋γｈを入力画像データを変換するＤＬＵＴと定める。
【００４５】
なお、ｆ：（ｘ，ｙ，ｚ）→（ｘ'，ｙ'，ｚ'）としたとき、
αｆ：（ｘ，ｙ，ｚ）→（αｘ'，αｙ'，αｚ'）
と定義するものとする。
【００４６】
ベクトルａ、ｂ、ｃが線形独立ではない場合、（３，２，２）と最も近くなるαａ＋βｂ＋γｃを満たすα、β、γを用いるようにする。このときの（３，２，２）とαａ＋βｂ＋γｃとの距離が類似度である。なお、αａ＋βｂ＋γｃは、主ＤＬＵＴに対応する設定画質形式情報及び副ＤＬＵＴに対応する設定画質形式情報を用いて得られる設定画質形式情報である。
【００４７】
上記類似度が小さいほど（３，２，２）とαａ＋βｂ＋γｃが類似していると定義する。ちなみに、ベクトルａ、ｂ、ｃが線形独立であれば、距離は０となる。
【００４８】
この類似度を用いることにより、ユーザが調整した調整画質形式情報が示す調整画質形式に適合するＤＬＵＴを定めることができる。
【００４９】
なお、最小距離がかなり大きい場合は、類似しているとは言い難いため、所定の閾値を設け、その閾値より最小距離が大きい場合、ＤＬＵＴを作成するために従来より用いられているソフトウェアをプリンタに組み込んでおき、それ用いてＤＬＵＴを再設計するようにしても良い。あるいは、ＤＬＵＴを予め多めに用意しておき、それらＤＬＵＴのうち、最小距離が閾値以下となるＤＬＵＴを用いるようにしても良い。
【００５０】
以上の処理により定まった変換情報を作成する様子を示すのが、図５、６である。図５は、主ＤＬＵＴと副ＤＬＵＴを合成することにより定まるＤＬＵＴを示しており、図６は、ユーザが調整した調整画質形式情報が副ＤＬＵＴと一致した場合、主ＤＬＵＴを用いずにそのまま副ＤＬＵＴを用いる様子を示している。
【００５１】
次に、図７を用いて彩度領域毎にＤＬＵＴを定める様子について説明する。図７に示されるＬ＊は画像の明るさを示し、Ｃ＊は画像の彩度を示している。彩度毎にＤＬＵＴを定める場合、予め設計者が彩度領域を定めておくと共に、その彩度領域の変換に用いられるＤＬＵＴとして、主ＤＬＵＴにどの副ＤＬＵＴを合成しておくかを定めておく。
【００５２】
図７の場合、設計者により設定された所定の低彩度の領域を、主ＤＬＵＴであるＤＬＵＴ２４ａと副ＤＬＵＴであるＤＬＵＴ２４ｃとを合成した変換情報により変換し、上記低彩度以外の領域を、主ＤＬＵＴであるＤＬＵＴ２４ａと副ＤＬＵＴであるＤＬＵＴ２４ｂとを合成した変換情報で変換する場合のＤＬＵＴの定め方を示すものである。
【００５３】
主ＤＬＵＴであるＤＬＵＴ２４ａと副ＤＬＵＴであるＤＬＵＴ２４ｃとを合成したＤＬＵＴ４０ｂは、所定の低彩度の領域に属する色を変換するＤＬＵＴである。主ＤＬＵＴであるＤＬＵＴ２４ａと副ＤＬＵＴであるＤＬＵＴ２４ｂとを合成したＤＬＵＴ４０ａは、所定の低彩度以外の領域に属する色を変換するＤＬＵＴである。
【００５４】
そして、ＤＬＵＴ４０ａとＤＬＵＴ４０ｂとをさらに合成したＤＬＵＴ４２を、変換に用いるＤＬＵＴと最終的に定める。
【００５５】
なお、領域４４ａと領域４４ｂとの境界が不自然になることを回避するため、境界近傍では線形補完するようにしても良い。
【００５６】
次に、以上説明したＤＬＵＴ変換部１８の処理を、図８のフローチャートを用いて説明する。
【００５７】
ＤＬＵＴ変換部１８は、ステップ１０１で、入力画像データが示す画像の種別がユーザにより設定されると、その種別を取得し、次のステップ１０２で、ユーザが設定した種別に対応するＤＬＵＴを主ＤＬＵＴとして取得し、さらに主ＤＬＵＴに対応する設定画質形式情報を取得する。例えば、ユーザが種別として写真を設定した場合、ＤＬＵＴ変換部１８は、ＤＬＵＴ２４ａを主ＤＬＵＴとして取得する。また、ＤＬＵＴ変換部１８は、取得した設定画質形式情報を表示する（図４参照）。
【００５８】
次のステップ１０３は、ユーザによる調整画質形式情報設定待ちである。調整画質形式情報が設定されると、ＤＬＵＴ変換部１８は、ステップ１０４で、設定された調整画質形式情報を取得する。取得された調整画質形式情報に基づき、ＤＬＵＴ変換部１８は、ステップ１０５で、副ＤＬＵＴを取得する。この副ＤＬＵＴの取得方法は上述したとおりである。
【００５９】
次にＤＬＵＴ変換部１８は、ステップ１０６で、上述した類似度を求める。ステップ１０７は、類似度による判断処理である。類似度が閾値以下の場合、ＤＬＵＴ変換部１８は、ステップ１０８で、主ＤＬＵＴと副ＤＬＵＴとを合成する。
【００６０】
類似度が閾値より大きい場合、ＤＬＵＴ変換部１８は、ステップ１０９で上述したように、調整画質形式情報と類似している副ＤＬＵＴがあるかどうか判断する。ここでの類似は、ステップ１０７で用いられた閾値を用いて判断しても良い。類似している副ＤＬＵＴがある場合、ＤＬＵＴ変換部１８は、ステップ１１０で類似している副ＤＬＵＴを変換に用いるＤＬＵＴとして選択する。類似している副ＤＬＵＴがない場合、ＤＬＵＴ変換部１８は、ステップ１１１でＤＬＵＴを再設計し、再設計されたＤＬＵＴを変換に用いる。
【００６１】
以上説明した実施の形態においては、プリンタが有する画像処理装置として説明したが、ＭＦＰ（Multi Function Printer）に画像処理装置を組み込んでも良いし、あるいはＬａｂからＬａｂに変換する画像処理装置として、Ｌａｂ信号をプリンタなどの画像形成装置に出力するようにしても良い。
【図面の簡単な説明】
【００６２】
【図１】本実施の形態に係る全体構成を示す図である。
【図２】プリンタの機能ブロック図である。
【図３】画質形式を示す図である。
【図４】ユーザインタフェースを示す図である。
【図５】主ＤＬＵＴと副ＤＬＵＴを合成することにより定まるＤＬＵＴを示す図である。
【図６】主ＤＬＵＴを用いずに副ＤＬＵＴを用いる様子を示す図である。
【図７】副ＤＬＵＴをそのまま用いて定まるＤＬＵＴを示す図である。
【図８】ＤＬＵＴ変換部の処理を示すフローチャートである。
【図９】従来例を示す図である。
【符号の説明】
【００６３】
１０ａ、１０ｂ  パソコン
１０  プリンタ
１４  ネットワーク
１６  入力色空間変換部
１８  ＤＬＵＴ変換部
２０  出力色空間変換部
２４ａ  写真ＤＬＵＴ
２４ｂ  ビジネス文書ＤＬＵＴ
２４ｃ  グラフＤＬＵＴ
３０  種別
３２  画質形式調整バー
３４  画質形式
４４ａ、４４ｂ  領域
【図１】
2007324967.tif 000003
【図２】
2007324967.tif 000004
【図３】
2007324967.tif 000005
【図４】
2007324967.tif 000006
【図５】
2007324967.tif 000007
【図６】
2007324967.tif 000008
【図７】
2007324967.tif 000009
【図８】
2007324967.tif 000010
【図９】
2007324967.tif 000011